(57)【要約】【課題】撮像装置と印刷装置から構成される印刷システムを、多様な利用形態に対応できるようにする。【解決手段】受信部３１は、撮像装置２から画像データを受信する。制御部３２は、印刷データを生成する。印刷部３３は、印刷データに対応する画像を印刷する。制御部３２は、第１動作モードと第２動作モードとを切替え可能である。第１動作モードでは、受信部３１が受信した画像データに対応する印刷データを、印刷指示の入力なしに生成する。第２動作モードでは、受信部３１が受信した画像データに対応する画像を表示部３４に表示させ、印刷指示を待機する。【選択図】図１
2014195876.tif 000002
【特許請求の範囲】
【請求項１】
画像データを受信する受信部と、
前記受信部で受信された画像データを表示する表示部と、
前記表示部に表示された画像データの印刷指示が入力される入力部と、
前記受信部で受信された画像データに基づいて印刷データを生成するデータ処理部と、
前記入力部での印刷指示の入力なしに前記受信部で受信された画像データに対応する印刷データを前記データ処理部に生成させる第１動作モード、または前記入力部での印刷指示の入力に基づいて前記受信部で受信された画像データに対応する印刷データを前記データ処理部に生成させる第２動作モードに切り替える制御部と、
前記データ処理部で生成された印刷データを印刷する印刷部と、
を備えることを特徴とする印刷装置。
【請求項２】
前記制御部が前記第１動作モードに切り替えたとき、前記受信部は、受信した画像データに印刷コマンドを付加し、前記データ処理部は、前記印刷コマンドに基づいて前記印刷データを生成する請求項１に記載の印刷装置。
【請求項３】
前記制御部が前記第１動作モードに切り替えたとき、前記受信部は、受信した画像データに印刷コマンドが付加されているか否かを判別し、前記画像データに前記印刷コマンドが付加されていない場合に、前記印刷コマンドを生成する請求項２に記載の印刷装置。
【請求項４】
前記受信部は、前記画像データを順次受信し、
前記表示部は、前記受信部が受信した画像データを順次表示する第１領域、前記第１領域の所定の箇所に配置された画像を拡大表示する第２領域、および前記入力部で印刷指示がされた画像データを表示する第３領域を備える請求項１から３のいずれか一項に記載の印刷装置。
【請求項５】
撮像して画像データを生成し、生成された前記画像データを送信する撮像装置と、
前記撮像装置から送信された画像データを受信する受信部、前記受信部で受信された画像データを表示する表示部、前記表示部に表示された画像データの印刷指示が入力される入力部、前記受信部で受信された画像データに基づいて印刷データを生成するデータ処理部、前記入力部での印刷指示の入力なしに前記受信部で受信された画像データに対応する印刷データを前記データ処理部に生成させる第１動作モード、または前記入力部での印刷指示の入力に基づいて前記受信部で受信された画像データに対応する印刷データを前記データ処理部に生成させる第２動作モードに切り替える制御部、および前記データ処理部で生成された印刷データを印刷する印刷部を有する印刷装置と、
を備えることを特徴とする印刷システム。
【請求項６】
前記制御部が前記第１動作モードに切り替えたとき、前記受信部は、受信した画像データに印刷コマンドを付加し、前記データ処理部は、前記印刷コマンドに基づいて前記印刷データを生成する請求項５に記載の印刷システム。
【請求項７】
前記撮像装置は、印刷コマンドを付加して画像データを送信し、
前記受信部が前記印刷コマンドが付加された画像データを受信したとき、前記制御部は前記第１動作モードに切り替え、
前記データ処理部は、前記印刷コマンドに基づいて前記印刷データを生成する請求項５に記載の印刷システム。
【発明の詳細な説明】
【技術分野】
【０００１】
本発明は、撮像装置から受信した画像データに基づいて印刷を行なう印刷装置に関する。また本発明は、撮像装置と印刷装置とで構成される印刷システムに関する。
【背景技術】
【０００２】
デジタルカメラ等の撮像装置により画像データが生成され、当該画像データが印刷装置へ無線送信される印刷システムが知られている。印刷装置は、撮像装置から受信した画像データに基づいて印刷データを生成し、当該印刷データに対応する画像を印刷する（例えば、特許文献１参照）。
【先行技術文献】
【特許文献】
【０００３】
【特許文献１】特開２００６−２１５６３０号公報
【発明の概要】
【発明が解決しようとする課題】
【０００４】
上記のように撮像装置と印刷装置とで構成される印刷システムは、様々な利用態様が想定される。例えば、カメラマンにより撮影された画像を、当該カメラマンの手を煩わせることなくリアルタイムで印刷し、顧客に提供したいというニーズが存在する。
【０００５】
よって本発明は、撮像装置と印刷装置とで構成される印刷システムを、多様な利用形態に対応可能とする技術を提供することを目的とする。
【課題を解決するための手段】
【０００６】
上記の目的を達成するために、本発明がとりうる第１の態様は、印刷装置であって、画像データを受信する受信部と、前記受信部で受信された画像データを表示する表示部と、前記表示部に表示された画像データの印刷指示が入力される入力部と、前記受信部で受信された画像データに基づいて印刷データを生成するデータ処理部と、前記入力部での印刷指示の入力なしに前記受信部で受信された画像データに対応する印刷データを前記データ処理部に生成させる第１動作モード、または前記入力部での印刷指示の入力に基づいて前記受信部で受信された画像データに対応する印刷データを前記データ処理部に生成させる第２動作モードに切り替える制御部と、前記データ処理部で生成された印刷データを印刷する印刷部と、を備えることを特徴とする。
【０００７】
本発明の構成によれば、制御部が第１動作モードと第２動作モードを切替え可能であるため、多様な利用形態に対応可能とすることができる。
【０００８】
第１動作モードが選択された場合、ユーザーが印刷指示を入力せずとも、例えば撮像装置により送信された画像データに対応する画像が、印刷装置により印刷される。カメラマンが撮像装置を用いて撮影を行ない、撮影された画像をリアルタイムで印刷して顧客に提供したいというニーズに対し、当該カメラマンの手を煩わせることなく応えることができる。
【０００９】
第２動作モードが選択された場合、ユーザーは、表示部に表示される画像について印刷の要否を検討することができる。印刷が必要と判断した画像についてユーザーが印刷指示を行なうことにより、印刷が実行される。例えば、カメラマンが撮像装置を用いて撮影を行ない、撮影された画像の各々について印刷の要否を選択できるようにしたいというニーズに応えることができる。
【００１０】
前記制御部が前記第１動作モードに切り替えたとき、前記受信部は、受信した画像データに印刷コマンドを付加し、前記データ処理部は、前記印刷コマンドに基づいて前記印刷データを生成する構成としてもよい。
【００１１】
前記制御部が前記第１動作モードに切り替えたとき、前記受信部は、受信した画像データに印刷コマンドが付加されているか否かを判別し、前記画像データに前記印刷コマンドが付加されていない場合に、前記印刷コマンドを生成する構成としてもよい。
【００１２】
前記受信部が前記画像データを順次受信する場合において、前記表示部は、前記受信部が受信した画像データを順次表示する第１領域、前記第１領域の所定の箇所に配置された画像を拡大表示する第２領域、および前記入力部で印刷指示がされた画像データを表示する第３領域を備える構成としてもよい。
【００１３】
本発明の構成によれば、第２動作モードが選択された場合において、印刷要否の検討対象とする画像が各領域を流れるように移動して見える。したがって、ユーザーによる選択作業を円滑に進行させることができる。
【００１４】
上記の目的を達成するために本発明がとりうる第２の態様は、印刷システムであって、撮像して画像データを生成し、生成された前記画像データを送信する撮像装置と、前記撮像装置から送信された画像データを受信する受信部、前記受信部で受信された画像データを表示する表示部、前記表示部に表示された画像データの印刷指示が入力される入力部、前記受信部で受信された画像データに基づいて印刷データを生成するデータ処理部、前記入力部での印刷指示の入力なしに前記受信部で受信された画像データに対応する印刷データを前記データ処理部に生成させる第１動作モード、または前記入力部での印刷指示の入力に基づいて前記受信部で受信された画像データに対応する印刷データを前記データ処理部に生成させる第２動作モードに切り替える制御部、および前記データ処理部で生成された印刷データを印刷する印刷部を有する印刷装置と、を備えることを特徴とする。
【００１５】
本発明の構成によれば、印刷装置の制御部が第１動作モードと第２動作モードを切替え可能であるため、多様な利用形態に対応可能な印刷システムを、撮像装置とともに構成することが可能である。
【００１６】
前記制御部が前記第１動作モードに切り替えたとき、前記受信部は、受信した画像データに印刷コマンドを付加し、前記データ処理部は、前記印刷コマンドに基づいて前記印刷データを生成する構成としてもよい。
【００１７】
前記撮像装置が印刷コマンドを付加して画像データを送信する場合、前記受信部が前記印刷コマンドが付加された画像データを受信したとき、前記制御部は前記第１動作モードに切り替え、前記データ処理部は、前記印刷コマンドに基づいて前記印刷データを生成する構成としてもよい。
【図面の簡単な説明】
【００１８】
【図１】本発明の一実施形態に係る印刷システムの構成を示すブロック図である。
【図２】印刷システムを構成する印刷装置の表示部に表示されるユーザーインターフェースを説明する図である。
【図３】印刷システムの変形例における印刷装置の受信部が行なう処理を示すフローチャートである。
【発明を実施するための形態】
【００１９】
添付の図面を参照しつつ、本発明に係る実施形態の例について、以下詳細に説明する。図１は、本発明の一実施形態に係る印刷システム１の構成を示すブロック図である。印刷システム１は、撮像装置２と印刷装置３を備えて構成されている。
【００２０】
撮像装置２は、対象物を撮像し、撮像結果に対応する画像データを生成する装置である。撮像装置２としては、デジタルスチルカメラ、携帯情報端末に搭載されたカメラなどが例示される。撮像装置２は、生成した画像データを、有線あるいは無線通信により外部に送信可能な構成を有している。
【００２１】
印刷装置３は、受信部３１を備えている。受信部３１は、撮像装置２から送信される画像データを受信可能に構成されている。
【００２２】
印刷装置３は、制御部３２を備えている。制御部３２は、中央演算装置（ＣＰＵ）をはじめとする、各種演算処理を実行する演算素子群を含んでいる。制御部３２は、データ処理部の一例として機能し、印刷コマンドの入力に応じて、印刷データを生成可能に構成されている。具体的には、表示色（ＲＧＢ）ベースの画像データから、印刷色（ＹＭＣＫ）ベースの印刷データを生成する。生成される印刷データは、例えば諧調値に対応するインク吐出量を規定する。
【００２３】
印刷装置３は、印刷部３３を備えている。印刷部３３は、図示しない媒体の搬送機構と印刷ヘッドを備える、いわゆるプリントエンジンである。印刷部３３は、制御部３２の指令に応じて、搬送機構により所定の位置に搬送された媒体に対し、印刷ヘッドにより印刷を行なう。
【００２４】
印刷装置３は、表示部３４を備えている。表示部３４は、例えば液晶方式や有機ＥＬ方式の小型ディスプレイ装置であり、表面にタッチパネルが実装されている。表示部３４は、ユーザーからの各種指示を入力可能なユーザーインターフェース（ＵＩ）４０（入力部の一例）を表示可能とされている。
【００２５】
制御部３２は、第１動作モードと第２動作モードを切替え可能に構成されている。動作モードの切替えは、例えば、ＵＩ４０を通じたユーザーからの指示入力に応じて行なわれる。
【００２６】
第１動作モードにおいて受信部３１は、画像データを受信すると、当該画像データについての印刷コマンドを生成する。生成された印刷コマンドは、制御部３２に入力される。制御部３２は、入力された印刷コマンドに基づいて印刷データを生成する。
【００２７】
すなわち、第１動作モードにおいて制御部３２は、受信部３１が受信した画像データに対応する印刷データを、例えばＵＩ４０からの印刷指示の入力なしに生成する。印刷部３３は、生成された印刷データに対応する画像を印刷する。よって印刷装置３は、撮像装置２から送信された画像データに対応する画像を、ユーザーからの印刷指示の入力なしに印刷する。
【００２８】
第２動作モードにおいて制御部３２は、受信部３１が受信した画像データを表示部３４に表示させ、ＵＩ４０を通じて入力される印刷指示を待機する。このとき表示部３４に表示されるＵＩ４０の例を図２に示す。
【００２９】
ＵＩ４０は、撮像装置２から送信された画像データの印刷要否について、ユーザーに選択を求めるためのものである。ＵＩ４０は、第１領域４１、第２領域４２、第３領域４３、および操作部４４を有している。
【００３０】
第１領域４１は、受信部３１が受信した画像データに対応する画像を順次表示する領域である。先に送信されたデータに対応する画像は、後に送信されたデータに対応する画像に対して、第１領域４１の下方に配置される。図２の（ａ）に示す例においては、撮像装置２から送信された順に、画像５１、５２、５３が下方から上方に並んでサムネイル表示されている。
【００３１】
第２領域４２は、第１領域４１の最下部４１ａ（所定箇所の一例）に配置された画像を拡大表示する領域である。図２の（ａ）に示す例においては、画像５１の拡大画像が第２領域４２に拡大表示される。当該画像は、ユーザーが印刷要否を検討する対象とされる。
【００３２】
操作部４４は、第２領域４２に表示された画像（すなわち最下部４１ａに配置された画像）の印刷要否を選択するボタンを含んでいる。具体的には、印刷ボタン４４ａ、不要ボタン４４ｂに加え、枚数設定ボタン、およびテンキーが含まれている。
【００３３】
ユーザーは、第２領域４２に表示された画像の印刷要否を検討する。印刷が必要と判断した場合、ユーザーは、枚数設定ボタンあるいはテンキーを用いて印刷枚数を設定し（本例では１枚と設定されている）、印刷ボタン４４ａを押す。印刷が不要と判断した場合、ユーザーは不要ボタン４４ｂを押す。
【００３４】
第３領域４３は、操作部４４による選択を経た画像を表示する領域である。図２の（ａ）においては、過去に印刷の要否が選択された画像５４、５５、５６、５７が左右方向に並んでサムネイル表示されている。第３領域４３内に表示される画像は、スクロールボタン４３ａを用いて変更することができる。
【００３５】
図２の（ｂ）においては、画像５１について印刷枚数が１枚に設定され、印刷ボタン４４ａが押された場合が例示されている。このとき第２領域４２に拡大表示されていた画像５１は、第３領域４３に移動してサムネイル表示される。また第１領域４１から画像５１が削除され、画像５１の上方に配置されていた画像５２が最下部４１ａに移動する。第２領域４２には、画像５２が拡大表示される。
【００３６】
既に印刷要否が選択されて第３領域４３に表示されている画像についても、操作部４４により印刷指示を入力することができる。具体的には、図２の（ｃ）に示すように、ユーザーが第３領域４３に表示されている選択済みの画像５４に触れると、第２領域４２に画像５４が拡大表示される。ユーザーは、画像５４について印刷枚数を設定し（本例では３枚と設定されている）、印刷ボタン４４ａを押す。
【００３７】
第１領域４１に表示される画像の各々について印刷要否が選択され、印刷ボタン４４ａが押されることにより、当該印刷ボタン４４ａが対象とする画像データについて印刷コマンドが生成される。制御部３２は、当該印刷コマンドに基づいて当該画像データに対応する印刷データを生成する。印刷部３３は、当該印刷データに対応する画像を印刷する。
【００３８】
上記のような構成を有する印刷装置２によれば、制御部３２が第１動作モードと第２動作モードを切替え可能であるため、多様な利用形態に対応可能な印刷システム１を、撮像装置２とともに構成することが可能である。
【００３９】
第１動作モードが選択された場合、撮像装置２から送信された画像データが受信部３１により受信されると、受信部３１により印刷コマンドが生成される。制御部３２は、当該印刷コマンドに基づいて当該画像データに対応する印刷データを生成し、印刷部３３は、当該印刷データに対応する画像を印刷する。すなわち、例えばＵＩ４０を通じてユーザーが印刷指示を入力せずとも、撮像装置２により送信された画像データに対応する画像が印刷される。
【００４０】
したがって例えば、カメラマンが撮像装置２を用いて撮影を行ない、撮影された画像をリアルタイムで印刷して顧客に提供したいというニーズに対し、当該カメラマンの手を煩わせることなく応えることができる。
【００４１】
一方、カメラマンにより次々に生成される画像データの全てをリアルタイム印刷する必要がない場合もある。そのような場合には、第２動作モードが選択される。この場合、撮像装置２から送信された画像データが受信部３１により受信されると、制御部３２は、当該画像データに対応する画像を表示部３４に表示させ、印刷指示を待機する。
【００４２】
ユーザーは、表示部３４に表示される画像について印刷の要否を検討することができる。印刷が必要と判断した画像についてユーザーが印刷指示を行なうことにより、当該画像について印刷コマンドが生成される。制御部３２は、当該印刷コマンドに基づいて当該画像データに対応する印刷データを生成し、印刷部３３は、当該印刷データに対応する画像を印刷する。
【００４３】
したがって例えば、カメラマンが撮像装置２を用いて撮影を行ない、撮影された画像の各々について印刷の要否を選択できるようにしたいというニーズに応えることができる。
【００４４】
印刷要否についての選択は、表示部３４に表示されるＵＩ４０を通じて行なわれる。ＵＩ４０においては、受信部３１が受信した画像データに対応する画像が、第１領域４１に順次表示される。第１領域４１内の所定箇所４１ａに配置された画像は、第２領域４２に拡大表示される。ユーザーは、当該画像について操作部４４を通じて印刷の要否を選択することができる。選択を経た画像は、第３領域４３に表示され、必要に応じて再度印刷指示を入力することができる。
【００４５】
このような構成によれば、印刷要否の検討対象とする画像が各領域を流れるように移動して見える。したがって、ユーザーによる選択作業を円滑に進行させることができる。例えば、カメラマンが次々に画像データを生成し続ける状況下において第２動作モードを選択した場合においても、印刷作業を滞りなく実行することができる。
【００４６】
上記の実施形態は本発明の理解を容易にするためのものであって、本発明を限定するものではない。本発明は、その趣旨を逸脱することなく変更・改良され得ると共に、本発明にはその等価物が含まれることは勿論である。
【００４７】
上記の実施形態においては、第２動作モードが選択された場合における印刷要否を選択する各種操作が、タッチパネル方式のＵＩを用いて行なわれている。しかしながら、説明した操作の少なくとも一つは、印刷装置３に設けられたボタンやスイッチ等を用いて行なわれる構成としてもよい。
【００４８】
上記の実施形態においては、第１動作モードが選択された場合において、受信部３１により印刷コマンドが生成されている。しかしながら、撮像装置２が印刷コマンドを生成し、生成された印刷コマンドを画像データに付加して印刷装置３に送信する構成としてもよい。この場合に受信部３１がとりうる処理の例を、図３を用いて説明する。
【００４９】
先ず第１モードが選択されているかを判定する（ステップＳ１）。第２モードが選択されている場合（ステップＳ１においてＮｏ）、処理を終了し、受信した画像データを制御部３２に送る。
【００５０】
第１モードが選択されている場合（ステップＳ１においてＹｅｓ）は、撮像装置２から受信した画像データに印刷コマンドが付加されているかを判定する（ステップＳ２）。撮像装置２により印刷コマンドが付加されている場合（ステップＳ２においてＹｅｓ）、受信部３１は、受信した画像データを制御部３２に送る。制御部３２は、当該印刷コマンドに基づいて当該画像データに対応する印刷データを生成する（ステップＳ３）。
【００５１】
撮像装置２により印刷コマンドが付加されていない場合（ステップＳ２においてＮｏ）、受信部３１は印刷コマンドを生成し（ステップＳ４）、当該印刷コマンドを受信した画像データとともに制御部３２へ送る。制御部３２は、当該印刷コマンドに基づいて当該画像データに対応する印刷データを生成する（ステップＳ３）。
【００５２】
このような処理によれば、上記実施形態について説明した第１動作モードと同様に、印刷部３３を動作させることができる。
【００５３】
印刷コマンドが付加されて撮像装置２から送信された画像データを受信部３１が受信したときに、制御部３２が自動的に第１動作モードに切り替える構成としてもよい。
【符号の説明】
【００５４】
１：印刷システム、２：撮像装置、３：印刷装置、３１：受信部、３２：制御部、３３：印刷部、３４：表示部、４１：第１領域、４２：第２領域、４３：第３領域、４４：操作部、５１〜５７：画像
【図１】
2014195876.tif 000003
【図２】
2014195876.tif 000004
【図３】
2014195876.tif 000005